(57)【要約】【課題】駆動力が互いに異なる負荷が、１つの端子に接続されている場合、大きな駆動力で負荷を駆動することによる放射ノイズの発生を抑制することができるバッファ駆動能力制御装置を提供することを目的とする。【解決手段】駆動能力の大きな負荷を駆動するための駆動能力と駆動能力の小さな負荷を駆動するための駆動能力を切り替えることのできる出力バッファを持ち、駆動能力の大きな負荷を駆動するための制御期間と駆動能力の小さな負荷を駆動するための制御期間とを持ち、それぞれの制御期間に、それぞれの負荷に適した駆動能力に出力バッファの駆動能力を切り替える。【選択図】図１
2010004404.tif 000002
【特許請求の範囲】
【請求項１】
１つの端子に対して第１の負荷と、上記第１の負荷よりも駆動力が大きく、上記第１の負荷よりも、入力される信号レベルの変化する頻度が小さい第２の負荷とを駆動するバッファ駆動能力制御装置において、
上記第１の負荷を駆動させる第１の駆動力と、上記第２の負荷を駆動させる第２の駆動力とを具備する出力バッファと；
上記出力バッファの上記第１の駆動力と上記第２の駆動力とを切り替えるバッファ駆動力切替部と；
上記第１の負荷を制御する第１の駆動期間と、上記第２の負荷を制御し、上記第１の駆動期間よりも長い第２の駆動期間とを具備し、上記出力バッファが出力する信号のレベルを制御し、上記第１の駆動期間に、第１の駆動力で信号を出力し、上記第２の駆動期間に入る前に、上記第２の駆動力で信号の出力を開始し、上記第２の駆動期間終了後に、上記第１の駆動力で信号を出力する制御手段と；
を有することを特徴とするバッファ駆動能力制御装置。
【請求項２】
請求項１において、
上記制御手段は、上記第１の駆動期間と、上記第２の駆動期間とを、一定の周期で繰り返す手段であることを特徴とするバッファ駆動能力制御装置。
【請求項３】
請求項１又は請求項２において、
上記第２の負荷として複数の負荷と、それぞれの上記第２の負荷を駆動するために必要な上記第２の駆動力として複数の駆動力と、それぞれの上記第２の負荷を制御する上記第２の駆動期間として複数の駆動期間とを具備し、
それぞれの上記第２の駆動期間に入る前に、それぞれの上記第２の駆動力で信号の出力を開始し、それぞれの上記第２の駆動期間終了後に、上記第１の駆動力で信号を出力することを特徴とするバッファ駆動能力制御装置。
【請求項４】
請求項１〜請求項３のいずれか１項において、
上記第１の負荷へ出力される信号レベルが変化する前に、上記第２の駆動力で信号を出力し、上記第１の負荷の信号レベルが変化した後に、上記第１の駆動力で信号を出力することを特徴とするバッファ駆動能力制御装置。
【請求項５】
請求項１〜請求項４のいずれか１項において、
上記第２の負荷へ出力される信号レベルが変化しない上記第２の駆動期間を具備し、
上記第２の負荷へ出力される信号レベルが変化しない上記第２の駆動期間に入る前には、上記第２の駆動力で信号の出力を開始せず、上記第２の負荷へ出力される信号レベルが変化しない上記第２の駆動期間は、上記第１の駆動力で信号を出力することを特徴とするバッファ駆動能力制御装置。
【請求項６】
請求項１〜請求項５のいずれか１項において、
上記出力バッファを複数、具備することを特徴とするバッファ駆動能力制御装置。
【請求項７】
１つの端子に対して第１の負荷と、上記第１の負荷よりも駆動力が大きく、上記第１の負荷よりも、入力される信号レベルの変化する頻度が小さい第２の負荷とを駆動するバッファ駆動能力制御装置の制御方法において、
上記第１の負荷を駆動させる第１の駆動力と、上記第２の負荷を駆動させる第２の駆動力とを出力バッファが具備し、
上記出力バッファの上記第１の駆動力と上記第２の駆動力とを、バッファ駆動力切替部が切り替える工程と；
上記第１の負荷を制御する第１の駆動期間と、上記第２の負荷を制御し、上記第１の駆動期間よりも長い第２の駆動期間とを具備し、上記出力バッファが出力する信号のレベルを制御し、上記第１の駆動期間に、第１の駆動力で信号を出力し、上記第２の駆動期間に入る前に、上記第２の駆動力で信号の出力を開始し、上記第２の駆動期間終了後に、上記第１の駆動力で信号を出力する制御工程と；
を有することを特徴とするバッファ駆動能力制御装置の制御方法。
【発明の詳細な説明】
【技術分野】
【０００１】
本発明は、駆動能力が互いに異なる複数の負荷が、１つの端子に接続されている出力バッファの放射ノイズ低減手法に関する。
【背景技術】
【０００２】
１つの端子に、複数の負荷を接続すれば、端子数を削減することができる。しかし、各負荷を制御するために必要なバッファ駆動力が異なるのであれば、負荷を正常に動作させるためには、最も大きい駆動力が必要な負荷の駆動力を設定しなければならない。
【０００３】
したがって、駆動力の小さな負荷を駆動する際に、不必要に大きな駆動力で駆動することになり、出力波形に歪みが発生し、また、放射ノイズが発生する。
【０００４】
バッファ駆動能力を制御することによってノイズを低減することができ、この装置として、以下のものが知られている。
【０００５】
複数の出力バッファを監視し、出力レベルが同時に変化する端子が多いと、端子全体のバッファ駆動能力が小さくなる（たとえば、特許文献１参照）。
【０００６】
出力レベルの変化時に、出力レベルの変化と同時に、バッファ駆動能力を段階的に変化させることによって、波形の立ち上がり、立ち下がりを緩やかにし、ノイズを低減する発明が知られている（たとえば、特許文献２参照）。
【０００７】
接続されている外部デバイスに合わせて、バッファの駆動能力を、初期設定時に設定する発明が知られている（たとえば、特許文献３参照）。
【特許文献１】特開２０００−２９５０８８号公報
【特許文献２】特開２００３−２５８６１１号公報
【特許文献３】特開平９−１３５１５９号公報
【発明の開示】
【発明が解決しようとする課題】
【０００８】
特許文献１、特許文献２、特許文献３記載の発明では、１つの端子に複数の負荷が接続されると、接続されている負荷の中で最も駆動力の大きいものに、端子の駆動力を合わせる。
【０００９】
このために、駆動力の小さな負荷を駆動する際に、不必要に大きな駆動力で駆動するので、出力波形に歪みが発生し、また、放射ノイズが発生するという問題がある。
【００１０】
本発明は、駆動力が互いに異なる負荷が、１つの端子に接続されている場合、大きな駆動力で負荷を駆動することによる放射ノイズの発生を抑制することができるバッファ駆動能力制御装置を提供することを目的とする。
【課題を解決するための手段】
【００１１】
本発明は、１つの端子に対して第１の負荷と、上記第１の負荷よりも駆動力が大きく、上記第１の負荷よりも、入力される信号レベルの変化する頻度が小さい第２の負荷とを駆動するバッファ駆動能力制御装置において、上記第１の負荷を駆動させる第１の駆動力と、上記第２の負荷を駆動させる第２の駆動力とを具備する出力バッファと、上記出力バッファの上記第１の駆動力と上記第２の駆動力とを切り替えるバッファ駆動力切替部と、上記第１の負荷を制御する第１の駆動期間と、上記第２の負荷を制御し、上記第１の駆動期間よりも長い第２の駆動期間とを具備し、上記出力バッファが出力する信号のレベルを制御し、上記第１の駆動期間に、第１の駆動力で信号を出力し、上記第２の駆動期間に入る前に、上記第２の駆動力で信号の出力を開始し、上記第２の駆動期間終了後に、上記第１の駆動力で信号を出力する制御手段とを有するバッファ駆動能力制御装置である。
【発明の効果】
【００１２】
本発明によれば、１つの端子に駆動力の異なる負荷が接続されている場合、各負荷を制御する信号を出力するタイミングで、各負荷に適した駆動力を出力させる信号を出力することができるという効果を奏する。したがって、不必要に大きな駆動力で負荷を駆動することによる放射ノイズの発生を抑制できるという効果を奏する。
【発明を実施するための最良の形態】
【００１３】
発明を実施するための最良の形態は、次の実施例である。
【実施例１】
【００１４】
図１は、本発明の実施例１であるバッファ駆動能力制御装置１０を示す図である。
【００１５】
バッファ駆動能力制御装置１０は、出力制御回路１１と、バッファ駆動力制御回路１２と、バッファ１３１と、バッファ１３２とを有する。
【００１６】
出力制御回路１１は、出力される信号のレベルを制御する。
【００１７】
バッファ駆動力制御回路１２は、出力される信号の駆動力を制御する。
【００１８】
負荷Ｌ１を駆動する駆動力は、負荷Ｌ２を駆動する駆動力よりも大きく、負荷Ｌ１を制御する期間は、負荷Ｌ２を制御する期間よりも長い。
【００１９】
バッファ１３１の駆動力は、負荷Ｌ２を駆動するに充分な駆動力であり、バッファ１３１、１３２の駆動力を足し合わせた駆動力は、負荷Ｌ１の駆動に適している。バッファ駆動力制御回路１２が、バッファ１３２のオンオフの切り替えを制御する。
【００２０】
図２は、バッファ１３１、１３２が、それぞれ負荷Ｌ１、Ｌ２に出力する信号の波形を示す図である。
【００２１】
負荷制御期間６１に、負荷Ｌ１を制御し、負荷制御期間６２に、負荷Ｌ２を制御する。また、負荷制御期間６１、６２は、交互に繰り返される。
【００２２】
バッファ駆動力切り替えタイミング７１、７２は、負荷Ｌ１、Ｌ２に出力される信号の駆動力を切り替える。
【００２３】
バッファ駆動力切り替えタイミング７１では、バッファ１３２をオフし、バッファ駆動力を負荷Ｌ１に適した駆動力から、負荷Ｌ２に適した駆動力へ切り替える。
【００２４】
バッファ駆動力切り替えタイミング７２では、バッファ１３２をオンし、バッファ駆動力を負荷Ｌ２に適した駆動力から、負荷Ｌ１に適した駆動力へ切り替える。負荷制御期間６２において、信号のレベルによって、バッファの駆動力以上の電流が流れる瞬間が生じるので、出力バッファの耐久性を維持するためには、負荷制御期間６２を数μｓ以下にする。
【００２５】
つまり、バッファ駆動能力制御装置１０は、１つの端子に対して第１の負荷と、上記第１の負荷よりも駆動力が大きく、上記第１の負荷よりも、入力される信号レベルの変化する頻度が小さい第２の負荷とを駆動するバッファ駆動能力制御装置の例である。
【００２６】
バッファ１３１、１３２は、第１の負荷を駆動させる第１の駆動力と、上記第２の負荷を駆動させる第２の駆動力とを具備する出力バッファの例である。
【００２７】
出力制御回路１１は、出力バッファの上記第１の駆動力と上記第２の駆動力とを切り替えるバッファ駆動力切替部の例である。
【００２８】
バッファ駆動力制御回路１２は、上記第１の負荷を制御する第１の駆動期間と、上記第２の負荷を制御し、上記第１の駆動期間よりも長い第２の駆動期間とを具備し、上記出力バッファが出力する信号のレベルを制御する。また、バッファ駆動力制御回路１２は、上記第１の駆動期間に、第１の駆動力で信号を出力し、上記第２の駆動期間に入る前に、上記第２の駆動力で信号の出力を開始し、上記第２の駆動期間終了後に、上記第１の駆動力で信号を出力する制御手段の例である。
【実施例２】
【００２９】
図３（ａ）は、本発明の実施例２であるバッファ駆動能力制御装置２０と、表示機３０と、それらの接続関係を示す図である。
【００３０】
バッファ駆動能力制御装置２０は、出力信号を制御し、また、入力信号を制御する。
【００３１】
出力信号線４１〜４４を介して、信号が出力され、入力信号線５１、５２を介して、信号が入力される。
【００３２】
表示機３０は、バッファ駆動能力制御装置２０によって制御される。
【００３３】
表示機３０を制御するための電流は、スイッチＳＷ１１〜ＳＷ１４、ＳＷ２１〜ＳＷ２４を制御するための電流よりも、大きく、１０ｍＡ程度以上である。
【００３４】
スイッチＳＷ１１〜ＳＷ１４は、それぞれ出力信号線４１〜４４と、バッファ駆動能力制御装置２０への入力信号線５１の接続を制御する。
【００３５】
スイッチＳＷ２１〜ＳＷ２４は、それぞれ出力信号線４１〜４４と、バッファ駆動能力制御装置２０への入力信号線５２との接続を制御する。
【００３６】
すなわち、スイッチＳＷ１１がオンすると、出力信号線４１と入力信号線５１とが接続される。
【００３７】
スイッチＳＷ１１〜ＳＷ１４、ＳＷ２１〜ＳＷ２４を制御するために必要な電流は、表示機３０を制御するための電流と比較すると、小さく、数ｍＡ以下である。
【００３８】
図３（ｂ）は、バッファ駆動能力制御装置２０の内部構成を示すブロック図である。
【００３９】
出力制御回路２１は、入力信号線５１、５２を介して、スイッチＳＷ１１〜ＳＷ１４、ＳＷ２１〜ＳＷ２４の情報を受け取り、出力信号線４１〜４４を介して、出力する信号のレベルを決定する。
【００４０】
バッファ駆動力制御回路２２は、出力バッファ２３１〜２３４の駆動力を制御する。
【００４１】
出力バッファ２３１、２３２、２３３、２３４は、出力制御回路２１によって制御された信号レベルを、バッファ駆動力制御回路２２によって制御された駆動力で出力する。
【００４２】
出力信号線２４は、出力制御回路２１と出力バッファ２３１〜２３４とを接続する。バッファ制御信号線２５は、バッファ駆動力制御回路２２と出力バッファ２３１〜２３４とを接続する。
【００４３】
図３（ｃ）は、出力バッファ２３１の内部構成を示す回路図である。
【００４４】
出力バッファ２３２、２３３、２３４の内部構成は、出力バッファ２３１の内部構成と同様である。
【００４５】
バッファＢ１、Ｂ２は、出力信号線２４を介して入力された信号レベルを、出力信号線４１を介して、出力する。バッファ制御信号線２５を経由してバッファ駆動力制御回路２２からの信号によって、バッファＢ２のオンオフの切り替えが制御されている。
【００４６】
出力信号線４１〜４４に対するバッファ駆動力は、バッファ制御信号線２５の信号によって、バッファＢ１の駆動力と、バッファＢ１の駆動力とバッファＢ２の駆動力とを足し合わせた駆動力とを選択することができる。
【００４７】
バッファＢ１は、スイッチＳＷ１１〜ＳＷ１４、ＳＷ２１〜ＳＷ２４を制御するために適した駆動力を具備し、バッファＢ１とバッファＢ２とを足し合わせた駆動力は、表示機３０を制御するために適した駆動力である。
【００４８】
図４は、出力信号線４１〜４４に出力される信号の波形を示す図である。
【００４９】
出力バッファ２３１〜２３４は、スイッチＳＷ１１〜ＳＷ１４、ＳＷ２１〜ＳＷ２４を制御するのに適した駆動力になっている。
【００５０】
表示機制御期間９１は、出力バッファ２３１〜２３４は、表示機３０を制御するのに適した駆動力になっている。バッファ駆動力切り替えタイミング７３、７４は、出力バッファ２３１〜２３４の駆動力を切り替える。
【００５１】
バッファ駆動力切り替えタイミング７３では、バッファＢ２をオフし、出力バッファ２３１〜２３４の駆動力を、表示機３０の制御に適した駆動力から、スイッチＳＷ１１〜ＳＷ１４、ＳＷ２１〜ＳＷ２４の制御に適した駆動力に切り替える。
【００５２】
バッファ駆動力切り替えタイミング７４では、バッファＢ２をオンし、出力バッファ２３１〜２３４の駆動力を、スイッチＳＷ１１〜ＳＷ１４、ＳＷ２１〜ＳＷ２４の制御に適した駆動力から、表示機３０の制御に適した駆動力に切り替える。
【００５３】
表示機制御期間９１に対するスイッチ制御期間８１の割合が大きくなると、表示機にちらつきが生じる可能性があるので、表示機制御期間９１に対するスイッチ制御期間は、１０００分の１以下程度の期間に設定する。
【００５４】
スイッチ制御期間８１において、入力信号のレベルによって、バッファの駆動力以上の電流が流れる瞬間が生じるので、出力バッファ２３１〜２３４の耐久性を維持するためには、スイッチ制御期間８１を数μｓ以下にする。
【００５５】
スイッチ制御期間８１と表示機制御期間９１とを、一定の周期で交互に繰り返す。スイッチ制御期間８１、表示機制御期間９１、バッファ駆動力切り替えタイミング７３、７４は、出力バッファ２３１〜２３４の間で異なる期間、又はタイミングであってもよい。
【００５６】
これによって、スイッチＳＷ１１〜ＳＷ１４、ＳＷ２１〜ＳＷ２４に信号を出力する際に、不必要に大きなバッファを用いることによる放射ノイズの発生を抑制することができる。
【００５７】
図５は、上記実施例の動作を示すフローチャートである。
【００５８】
Ｓ１で、表示機３０を制御する信号の出力を始める。
【００５９】
Ｓ２で、表示機制御期間９１によって制限を受け定められる時間１が経過する。
【００６０】
Ｓ３で、出力バッファ２３１〜２３４の駆動力を、表示機３０用の大きい駆動力から、スイッチＳＷ１１〜ＳＷ１４、ＳＷ２１〜ＳＷ２４用の小さい駆動力に切り替える。
【００６１】
Ｓ４で、スイッチ制御期間８１によって制限を受け、定められる時間２が経過する。
【００６２】
Ｓ５で、スイッチＳＷ１１〜ＳＷ１４、ＳＷ２１〜ＳＷ２４を制御する信号を出力する。
【００６３】
Ｓ６で、スイッチ制御期間８１によって制限を受け定められる時間３が経過する。
【００６４】
Ｓ７で、出力バッファ２３１〜２３４の駆動力を、スイッチＳＷ１１〜ＳＷ１４、ＳＷ２１〜ＳＷ２４用の小さい駆動力から、表示機３０用の大きい駆動力に切り替える。
【００６５】
上記実施例は、第２の負荷として複数の負荷と、それぞれの上記第２の負荷を駆動するために必要な上記第２の駆動力として複数の駆動力と、それぞれの上記第２の負荷を制御する上記第２の駆動期間として複数の駆動期間とを具備する。また、上記実施例は、それぞれの上記第２の駆動期間に入る前に、それぞれの上記第２の駆動力で信号の出力を開始し、それぞれの上記第２の駆動期間終了後に、上記第１の駆動力で信号を出力する。
【００６６】
また、上記実施例は、上記第１の負荷へ出力される信号レベルが変化する前に、上記第２の駆動力で信号を出力し、上記第１の負荷の信号レベルが変化した後に、上記第１の駆動力で信号を出力する。
【００６７】
さらに、上記実施例は、上記第２の負荷へ出力される信号レベルが変化しない上記第２の駆動期間を具備し、上記第２の負荷へ出力される信号レベルが変化しない上記第２の駆動期間に入る前には、上記第２の駆動力で信号の出力を開始しない。また、上記実施例は、上記第２の負荷へ出力される信号レベルが変化しない上記第２の駆動期間は、上記第１の駆動力で信号を出力する。
【実施例３】
【００６８】
図６は、本発明の実施例３である出力バッファ２３１ａにおいて、駆動能力を切り替える説明図である。
【００６９】
なお、出力バッファ２３２ａ〜２３４ａは、出力バッファ２３１ａと同様である。
【００７０】
バッファＢ１ａ、Ｂ２は、バッファ制御信号線２５の信号によって、どちらかのバッファが選択される。バッファＢ１ａの駆動力は、スイッチＳＷ１１〜ＳＷ１４を制御するのに適した駆動力であり、バッファＢ２の駆動力は、表示機３０を制御するのに適した駆動力である。
【００７１】
図７は、実施例３において、出力信号線４１〜４４に出力される信号の波形を示す図である。
【００７２】
表示機制御期間９２は、表示機３０に送る制御信号のレベルを変化させる期間であり、出力バッファ２３１〜２３４の駆動力は、スイッチＳＷ１１〜ＳＷ１４、ＳＷ２１〜ＳＷ２４を制御するのに適した駆動力である。
【００７３】
バッファ駆動力切り替えタイミング７５、７６は、出力バッファ２３１〜２３４の駆動力を切り替える。
【００７４】
バッファ駆動力切り替えタイミング７５で、バッファＢ２をオフし、出力バッファ２３１〜２３４の駆動力を、表示機３０の制御に適した駆動力から、スイッチＳＷ１１〜ＳＷ１４、ＳＷ２１〜ＳＷ２４の制御に適した駆動力に切り替える。
【００７５】
バッファ駆動力切り替えタイミング７６で、バッファＢ２をオンし、出力バッファ２３１〜２３４の駆動力を、スイッチＳＷ１１〜ＳＷ１４、ＳＷ２１〜ＳＷ２４の制御に適した駆動力から、表示機３０の制御に適した駆動力に切り替える。
【００７６】
実施例では、表示機３０に送る制御信号のレベル変化時に、出力バッファ２３１〜２３４を小さくすることによって、表示機３０に送る制御信号のレベル変化による放射ノイズを抑制することができる。
【００７７】
図８は、実施例３において、出力信号線４１〜４４に出力される信号の波形を示す図である。
【００７８】
表示機制御期間９１は、出力バッファ２３１〜２３４が出力した信号の出力レベルが変化しない期間である。
【００７９】
出力バッファ２３１〜２３４は、表示機３０を制御するのに適した駆動力である。
【００８０】
バッファ駆動力切り替えタイミング７７、７８は、出力バッファ２３１〜２３４の駆動力を切り替える。バッファ駆動力切り替えタイミング７７、７８で、バッファＢ２は、オンの状態を保ち、出力バッファ２３１〜２３４の駆動力を、表示機３０の制御に適した駆動力に保つ。
【００８１】
上記実施例では、信号レベルが変化しないスイッチ制御期間８２の前後の駆動力切り替えタイミング７７、７８で、出力バッファ２３１〜２３４の駆動力を切り替えない。よって、上記実施例では、出力バッファ２３１〜２３４の駆動力を切り替えることによる放射ノイズの発生を低減することができる。
【００８２】
上記実施例は、スイッチ制御期間８１に、スイッチＳＷ１１〜ＳＷ１４、ＳＷ２１〜ＳＷ２４の信号レベルが変化する確率が低い。よって、不必要に大きな駆動力によってスイッチＳＷ１１〜ＳＷ１４、ＳＷ２１〜ＳＷ２４を制御する際に発生する放射ノイズ、出力バッファ２３１〜２３４の駆動力を切り替える際に発生する放射ノイズが大きくなる場合に、特に有効である。
【００８３】
請求項２記載の発明によれば、バッファの駆動力を変化させるタイミングを予め規定できるので、バッファの駆動力を、より容易に切り替えることができる。
【００８４】
請求項３記載の発明によれば、１つの端子に、互いに異なる複数の駆動力の負荷が接続されている場合に、各負荷を制御する信号を出力するタイミングに、各負荷に適した駆動力で信号を出力することがでる。よって、不必要に大きな駆動力で負荷を駆動することによる放射ノイズの発生を抑制することができる。
【００８５】
請求項４記載の発明によれば、第１の負荷へ出力される信号レベルが変化することによる放射ノイズの発生を抑制することができる。
【００８６】
請求項５記載の発明によれば、第２の負荷の信号レベルが変化しない場合に、バッファの駆動力を変化させることによる放射ノイズの発生を抑制することができる。
【００８７】
請求項６記載の発明によれば、１つのシステムにおいて複数の端子に駆動力が互いに異なる負荷が接続されている場合に、各負荷を制御する信号を出力するタイミングに、各負荷に適した駆動力で信号を出力することができる。よって、不必要に大きな駆動力で負荷を駆動することによる放射ノイズの発生を抑制することができる。
【図面の簡単な説明】
【００８８】
【図１】本発明の実施例１であるバッファ駆動能力制御装置１０を示す図である。
【図２】バッファ１３１、１３２が、それぞれ負荷Ｌ１、Ｌ２に出力する信号の波形を示す図である。
【図３（ａ）】本発明の実施例２であるバッファ駆動能力制御装置２０と、表示機３０と、それらの接続関係を示す図である。
【図３（ｂ）】バッファ駆動能力制御装置２０の内部構成を示すブロック図である。
【図３（ｃ）】出力バッファ２３１の内部構成を示す回路図である。
【図４】出力信号線４１〜４４に出力される信号の波形を示す図である。
【図５】上記実施例の動作を示すフローチャートである。
【図６】本発明の実施例３である出力バッファ２３１ａにおいて、駆動能力を切り替える説明図である。
【図７】実施例３において、出力信号線４１〜４４に出力される信号の波形を示す図である。
【図８】実施例３において、出力信号線４１〜４４に出力される信号の波形を示す図である。
【符号の説明】
【００８９】
１０…バッファ駆動能力制御装置、
Ｌ１、Ｌ２…負荷、
１３１、１３２…バッファ、
２０…バッファ駆動能力制御装置、
２１…出力制御回路、
２２…バッファ駆動力制御回路、
２３１、２３２、２３３、２３４…出力バッファ、
２４…出力信号線、
２５…バッファ制御信号線、
３０…表示機、
４１〜４４…出力信号線。
【図１】
2010004404.tif 000003
【図２】
2010004404.tif 000004
【図３（ａ）】
2010004404.tif 000005
【図３（ｂ）】
2010004404.tif 000006
【図３（ｃ）】
2010004404.tif 000007
【図４】
2010004404.tif 000008
【図５】
2010004404.tif 000009
【図６】
2010004404.tif 000010
【図７】
2010004404.tif 000011
【図８】
2010004404.tif 000012